【手続補正書】
【提出日】平成15年10月16日(2003.10.16)
【手続補正１】
【補正対象書類名】特許請求の範囲
【補正対象項目名】全文
【補正方法】変更
【補正の内容】
【特許請求の範囲】
【請求項１】
主ユニットを有するテレビ会議システムであって、前記主ユニットは、装置インターフェース、カメラアダプタ、ドッキングステーションアダプタ、プロセッサ及び、メモリを有し、
前記装置インターフェースは、1つ又はそれ以上のポートを有し、１つ又はそれ以上のポートの各々は、装置へ出力を供給し又は、装置から入力を受信するように適応され、
前記プロセッサと前記メモリは、テレビ会議機能を実行するように構成され、
前記カメラアダプタは、前記カメラアダプタを通して前記主ユニットへオーディオ及びビデオ信号を供給するカメラユニットを電気的に且つ機械的に取り外し可能に受けるように構成され、前記主ユニットの前記プロセッサは、オーディオ信号を処理し、オーディオ信号に応答して、前記カメラユニットの方向又はズームの少なくとも１つを制御する制御信号を発生するようにプログラムされ、
前記ドッキングステーションアダプタは、通信関係で前記主ユニットをテレビ会議ネットワークと接続するドッキングステーションに電気的に且つ機械的に取り外し可能に接続されるように構成される、テレビ会議システム。
【請求項２】
テレビ会議ユニットに機械的且つ電気的に接続されるように構成された第１のアダプタと、
ネットワークと通信関係で接続されるように構成される第２のアダプタと、
前記ドッキングステーション内にあり、第１のアダプタから電力を受信し、前記第１のアダプタから第１の信号を受信し、第１の信号をネットワークに適する形式に変換し、変換された信号を第２のアダプタに出力する回路と、前記ドッキングステーション内に収容され、第１のアダプタから電力を受信し、前記第２のアダプタから第２の信号を受信し、第２の信号をテレビ会議ユニットに適する形式に変換する回路と、
ハウジングは、実質的に、第１のアダプタがテレビ会議ユニットに接続されるために露出されている場所を除いて第１のアダプタを囲み、前記ハウジングは、実質的に、第２のアダプタがネットワークに接続されるために露出されている場所を除いて第２のアダプタを囲み、前記ハウジングは実質的に回路を囲む、前記ハウジングと、
より本質的に構成されるテレビ会議ユニットのためのドッキングステーション。
【請求項３】
第１のアダプタ、第２のアダプタ、回路及び、ハウジングを有するテレビ会議ユニットのためドッキングステーションであって、
テレビ会議ユニットに機械的且つ電気的に接続されるように構成された第１のアダプタと、
ネットワークと通信関係で接続されるように構成される第２のアダプタと、
前記回路はハウジング内にあり、前記回路は第１のアダプタと第２のアダプタの少なくとも１つから電力を受信し、前記回路は前記第１のアダプタから第１の信号を受信し、第１の信号をネットワークに適する形式に変換し、変換された信号を第２のアダプタに出力するように構成され、前記回路は前記第２のアダプタから第２の信号を受信し、第２の信号をテレビ会議ユニットに適する形式に変換するように構成され、
ハウジングは、実質的に、第１のアダプタがテレビ会議ユニットに接続されるために露出されている場所を除いて第１のアダプタを囲み、前記ハウジングは、実質的に、第２のアダプタがネットワークに接続されるために露出されている場所を除いて第２のアダプタを囲み、前記ハウジングは実質的に前記回路を囲み、前記ハウジングはテレビ会議ユニットがそこへ接続された時に支持するように構成される、ドッキングステーション。
【請求項４】
テレビ会議ユニットアダプタとネットワークポートを含むテレビ会議ユニットのためのドッキングステーションであって、前記ドッキングステーションはコンピュータカードを収容し、前記コンピュータカードは、マルチベンダインテグレーションプロトコルカード、ペリフェラルコンポーネントインターフェースカード、又は、マルチベンダインテグレーションプロトコル／ペリフェラルコンポーネントインターフェースカードの少なくとも１つであり、通信関係でテレビ会議ユニットのバスと接続するテレビ会議ユニットアダプタに接続されたコンピュータカードのバスコネクタを含み、通信関係でネットワークと接続するためにネットワークポートに接続された、コンピュータのネットワークインターフェースを有し、コンピュータカードは、テレビ会議ユニットアダプタとネットワークポートの間の通信を維持するように適応される、ドッキングステーション。
【請求項５】
取り外し可能に電気的且つ機械的にテレビ会議システムに取り付けられているアダプタと、
カメラのパン、チルト又は、ズームの少なくとも１つを変えるために前記アダプタを通して受信された制御信号に応答する前記カメラと、
前記カメラに対して予め定められた位置を有する複数のマイクロフォンを有し、前記複数のマイクロフォンは、前記アダプタにオーディオ信号を供給し、それにより、前記オーディオ信号は前記カメラユニットから前記アダプタを通して受信され、前記オーディオ信号の源の位置を決定するために前記カメラユニットに外部的に処理され、オーディオ信号の源の位置に向かって前記カメラを操作するために、前記カメラユニットへ前記アダプタを通して適する制御信号が供給される、カメラユニット。
【請求項６】
テレビ会議ユニットに機械的且つ電気的に接続する第１のアダプタ手段と、
ネットワークと通信関係で接続する第２のアダプタ手段と、
第１のアダプタ手段と第２のアダプタ手段を通信関係で接続する回路手段と、
第１のアダプタ手段がテレビ会議ユニットに接続されるために露出されている場所と、第２のアダプタ手段がネットワークに接続されるために露出されている場所を除いて、第１のアダプタ手段、第２のアダプタ手段及び、回路手段を、実質的に囲む、ハウジング手段と、を有するテレビ会議ユニットのためのドッキングステーション。
【請求項７】
第１のアダプタ、第２のアダプタ、回路及び、ハウジングを有するテレビ会議ユニットのためのドッキングステーションであって、
前記第１のアダプタは、外部媒体と通信関係で接続されるように構成され、
前記第２のアダプタは、テレビ会議ユニットと機械的且つ電気的に接続するように構成され、
前記回路はハウジング内にあり、前記回路は第１のアダプタと第２のアダプタの少なくとも１つから電力を受信し、前記回路は前記第１のアダプタから第１の信号を受信し、第１の信号をビデオ会議ユニットに適する形式に変換し、変換された信号を第２のアダプタに出力するように構成され、
前記ハウジングは、実質的に、第１のアダプタがテレビ会議ユニットに接続されるために露出されている場所を除いて第１のアダプタを囲み、前記ハウジングは、実質的に、第２のアダプタがネットワークに接続されるために露出されている場所を除いて第２のアダプタを囲み、前記ハウジングは実質的に前記回路を囲み、前記ハウジングはテレビ会議ユニットがそこへ接続された時に支持するように構成される、ドッキングステーション。
【請求項８】
主ユニットを有するテレビ会議システムであって、主ユニットは、装置インターフェース、ドッキングステーションアダプタ、プロセッサ及び、メモリを有し、
前記装置インターフェースは、1つ又はそれ以上のポートを有し、１つ又はそれ以上のポートの各々は、装置へ出力を供給し又は、装置から入力を受信するように適応され、
前記プロセッサと前記メモリは、テレビ会議機能を実行するように構成され、
前記ドッキングステーションアダプタは、通信関係で前記主ユニットをテレビ会議ネットワークと接続するドッキングステーションに電気的に且つ機械的に取り外し可能に接続するように構成される、テレビ会議システム。